【事件の表示】
　特許第６０７９７７３号発明「シート積層装置およびシート積層方法」の特許異議申立事件について、次のとおり決定する。
【結　論】
　特許第６０７９７７３号の特許請求の範囲を訂正請求書に添付された特許請求の範囲図面のとおり、訂正後の請求項〔１〜９〕、１０について、訂正することを認める。
　特許第６０７９７７３号の請求項１〜１０に係る特許を維持する。
【理　由】
第１．手続の経緯
　特許第６０７９７７３号の請求項１〜１０に係る特許についての出願は、２０１３年３月１３日（優先権主張２０１２年３月３０日）を国際出願とする出願であって、平成２９年１月２７日にその特許権の設定登録がされ、その後、その特許について、特許異議申立人平賀博により特許異議の申立てがされ、当審において同年１１月２１日付けで取消理由を通知し、その指定期間内である差出日不明につき平成３０年１月２５日受付で意見書の提出及び訂正の請求がなされ、当審において同年２月７日付けで特許異議申立人に対して通知書を通知し、その指定期間内である同年３月７日付けで意見書の提出がなされたものである。
第２．訂正の適否についての判断
１．訂正の内容
　本件訂正請求による訂正の内容は以下のとおりである。
（１）訂正事項１
　特許請求の範囲の請求項１の
 「前記ステージ上の前記シート積層体の第１の辺の一部を前記ステージに向けて押圧する第１の押圧ポジションと、」を、
 「
押圧面を備え、
前記押圧面による
（２）訂正事項２
　特許請求の範囲の請求項１の
 「前記第１の押圧ポジションの上方であって前記待機ポジションに近接した第１の上方ポジションとの間で、」を、
 「前記第１の押圧ポジションの上方であって前記待機ポジションに近接し
、かつ、前記待機ポジションに位置する前記第１の搬送ハンドラが保持する前記シートの上面であって前記切り欠き部で露出された面と、前記押圧面とが対向する位置関係となる
（３）訂正事項３
　特許請求の範囲の請求項１の
 「前記ステージを挟んで前記第１のクランプ装置とは反対側の方向から、前記ステージの上方の前記待機ポジションまで、第１のシートを保持した前記第１の搬送ハンドラを移動させ前記第１の搬送ハンドラの前記切り欠き部で露出した前記シートと前記第１のクランプ装置とが対向する位置まで前記第１の搬送ハンドラを移動させることと、」を、
 「前記ステージを挟んで前記第１のクランプ装置とは反対側の方向から、前記ステージの上方の前記待機ポジションまで、第１のシートを保持した前記第１の搬送ハンドラを移動させ
、
前記第１の上方ポジションに位置する
（４）訂正事項４
　特許請求の範囲の請求項１０の
 「前記ステージ上の前記シート積層体の第１の辺の一部を前記ステージに向けて押圧する第１の押圧ポジションと、」を、
 「
押圧面を備え、
前記押圧面による
（５）訂正事項５
　特許請求の範囲の請求項１０の
 「前記第１の押圧ポジションの上方であって前記待機ポジションに近接した第１の上方ポジションとの間で、」を、
 「前記第１の押圧ポジションの上方であって前記待機ポジションに近接し
、かつ、前記待機ポジションに位置する前記第１の搬送ハンドラが保持する前記シートの上面であって前記切り欠き部で露出された面と、前記押圧面とが対向する位置関係となる
（６）訂正事項６
　特許請求の範囲の請求項１０の
 「前記ステージを挟んで前記第１のクランプ装置とは反対側の方向から、前記ステージの上方の前記待機ポジションまで、第１のシートを保持した前記第１の搬送ハンドラを移動させ前記第１の搬送ハンドラの前記切り欠き部で露出した前記シートと前記第１のクランプ装置とが対向する位置まで前記第１の搬送ハンドラを移動させることと、」を、
 「前記ステージを挟んで前記第１のクランプ装置とは反対側の方向から、前記ステージの上方の前記待機ポジションまで、第１のシートを保持した前記第１の搬送ハンドラを移動させ
、
前記第１の上方ポジションに位置する
２．訂正の適否についての判断
（１）訂正事項１、及び４について
　訂正事項１、及び４は、第１のクランプ装置に関して、具体的に限定するものであるから、特許請求の範囲の減縮を目的とするものである。
　そして、訂正事項１、及び４は、願書に添付した明細書（段落【００２４】、【００２６】、【００３１】、【００３８】）、及び図面（図２、３、５Ａ、５Ｆ）に記載した事項の範囲において訂正をするものであり、また実質上特許請求の範囲を拡張し、又は変更するものでもない。
（２）訂正事項２、及び５について
　訂正事項２、及び５は、第１の上方ポジションの位置に関して、具体的に限定するものであるから、特許請求の範囲の減縮を目的とするものである。
　そして、訂正事項２、及び５は、願書に添付した明細書（段落【００２４】、【００３２】、【００３３】、【００３５】）、及び図面（図２、３、５Ｄ、９）に記載した事項の範囲において訂正をするものであり、また実質上特許請求の範囲を拡張し、又は変更するものでもない。
（３）訂正事項３、及び６
　訂正事項３、及び６は、第１の搬送ハンドラを移動させる際の第１のクランプ装置の位置に関して、具体的に限定するものであるから、特許請求の範囲の減縮を目的とするものである。
　そして、訂正事項３、及び６は、願書に添付した明細書（段落【００２４】、【００３２】、【００３３】、【００３５】）、及び図面（図２、３、５Ｄ、９）に記載した事項の範囲において訂正をするものであり、また実質上特許請求の範囲を拡張し、又は変更するものでもない。
（４）一群の請求項について
　これらの訂正は、一群の請求項ごとに請求されたものである。
　また、訂正後の請求項１〜９は、一群の請求項である。
３．むすび
　以上のとおりであるから、本件訂正請求による訂正は特許法第１２０条の５第２項第１号及び第３号に掲げる事項を目的とするものであり、かつ、同条第４項、及び、同条第９項において準用する同法第１２６条第４項から第６項までの規定に適合するので、訂正後の請求項〔１〜９〕、１０について訂正を認める。
第３．特許異議の申立てについて
１．本件特許発明
　本件訂正請求により訂正された訂正請求項１〜１０に係る発明は、その特許請求の範囲の請求項１〜１０に記載された次の事項により特定されるとおりのものである。（以下、それぞれ「本件特許発明１」〜「本件特許発明１０」という。）。 
「【請求項１】
　複数のシートが積層されて成るシート積層体を載置するステージと、
　周辺部に切り欠き部が設けられた第１の搬送ハンドラであって、前記ステージの上方に位置する待機ポジションと前記待機ポジションから退避した退避ポジションとの間を移動可能であり、前記ステージに対して上下移動可能に構成され、少なくともシートの周辺の一部が前記切り欠き部で露出した状態で該シートを保持可能な第１の搬送ハンドラと、
　押圧面を備え、前記ステージ上の前記シート積層体の第１の辺の一部を前記押圧面による前記ステージに向けて押圧する第１の押圧ポジションと、前記第１の押圧ポジションの上方であって前記待機ポジションに近接し、かつ、前記待機ポジションに位置する前記第１の搬送ハンドラが保持する前記シートの上面であって前記切り欠き部で露出された面と、前記押圧面とが対向する位置関係となる第１の上方ポジションとの間で、移動可能に構成された第１のクランプ装置と、
　前記ステージ上の前記シート積層体の前記第１の辺とは異なる第２の辺の一部を前記ステージに向けて押圧する第２の押圧ポジションと、前記第２の押圧ポジションの上方であって前記待機ポジションに近接した第２の上方ポジションとの間で、移動可能に構成された第２のクランプ装置と、
　前記第２のクランプ装置で前記ステージ上のシート積層体の前記第２の辺の一部を押圧した状態で前記第１のクランプ装置を前記第１の上方ポジションへ移動させることと、
　前記ステージを挟んで前記第１のクランプ装置とは反対側の方向から、前記ステージの上方の前記待機ポジションまで、第１のシートを保持した前記第１の搬送ハンドラを移動させ、前記第１の搬送ハンドラの前記切り欠き部で露出した前記シートと前記第１の上方ポジションに位置する前記第１のクランプ装置とが対向する位置まで前記第１の搬送ハンドラを移動させることと、
　前記第１の搬送ハンドラを前記ステージに向けて下降させて前記第２のクランプ装置で押圧されている前記シート積層体の上に前記第１のシートを積層することと、
　前記第１のクランプ装置を前記ステージに向けて下降させて前記第１のシートの周辺部を前記ステージへ向けて押圧することと、を前記第１のクランプ装置、前記第２のクランプ装置および前記第１の搬送ハンドラに実行させる制御部と、を備えているシート積層装置。
【請求項２】
　前記制御部は、前記第１の搬送ハンドラを前記待機ポジションまで移動させ終える前に、前記第１のクランプ装置を前記第１の上方ポジションへ移動させ終えるように、前記第１の搬送ハンドラおよび前記第１のクランプ装置を制御する、請求項１に記載のシート積層装置。
【請求項３】
　前記制御部は、前記第１の搬送ハンドラの下降と前記第１のクランプ装置の下降とを同時に行わせる、請求項１または２に記載のシート積層装置。
【請求項４】
　前記制御部は、前記第１の搬送ハンドラを下降させた後に、前記第１のクランプ装置を下降させる、請求項１または２に記載のシート積層装置。
【請求項５】
　前記第１の搬送ハンドラが前記退避ポジションから前記待機ポジションへ移動する方向を移動方向と定義したときに、前記第１の搬送ハンドラの前記移動方向の前方側に位置する少なくとも一つの角に前記切り欠き部が設けられている、請求項１から４のいずれか１項に記載のシート積層装置。
【請求項６】
　前記第１の搬送ハンドラが前記退避ポジションから前記待機ポジションへ移動する方向を移動方向と定義したときに、前記第１の搬送ハンドラの前記移動方向の前方側に位置する一対の角にそれぞれ前記切り欠き部が設けられている、請求項１から４のいずれか１項に記載のシート積層装置。
【請求項７】
　前記シート積層体の表面に垂直な方向から見て、前記第１の搬送ハンドラの前記移動方向の前方側に位置する切り欠き部は、前記第１のクランプ装置の一辺と向き合っている、請求項５または６に記載のシート積層装置。
【請求項８】
　前記第１の搬送ハンドラが前記退避ポジションから前記待機ポジションへ移動する方向を移動方向と定義したときに、前記第１の搬送ハンドラの前記移動方向の前方側に位置する一つの辺に前記切り欠き部が設けられている、請求項１から４のいずれか１項に記載のシート積層装置。
【請求項９】
　前記第１の搬送ハンドラが前記退避ポジションから前記待機ポジションへ移動する方向を移動方向と定義したときに、前記第１の搬送ハンドラの前記移動方向の前方側に位置する一つの辺に複数の前記切り欠き部が設けられている、請求項１から４のいずれか１項に記載のシート積層装置。
【請求項１０】
　複数のシートが積層されて成るシート積層体を載置するステージと、
　周辺部に切り欠き部が設けられた第１の搬送ハンドラであって、前記ステージの上方に位置する待機ポジションと前記待機ポジションから退避した退避ポジションとの間を移動可能であり、前記ステージに対して上下移動可能に構成され、少なくともシートの周辺の一部が前記切り欠き部で露出した状態で該シートを保持可能な第１の搬送ハンドラと、
　押圧面を備え、前記ステージ上の前記シート積層体の第１の辺の一部を前記押圧面による前記ステージに向けて押圧する第１の押圧ポジションと、前記第１の押圧ポジションの上方であって前記待機ポジションに近接し、かつ、前記待機ポジションに位置する前記第１の搬送ハンドラが保持する前記シートの上面であって前記切り欠き部で露出された面と、前記押圧面とが対向する位置関係となる第１の上方ポジションとの間で、移動可能に構成された第１のクランプ装置と、
　前記ステージ上の前記シート積層体の前記第１の辺とは異なる第２の辺の一部を前記ステージに向けて押圧する第２の押圧ポジションと、前記第２の押圧ポジションの上方であって前記待機ポジションに近接した第２の上方ポジションとの間で、移動可能に構成された第２のクランプ装置と、を備えたシート搬送装置を用いたシート積層方法であって、
　前記第２のクランプ装置で前記ステージ上のシート積層体の前記第２の辺の一部を押圧した状態で前記第１のクランプ装置を前記第１の上方ポジションへ移動させることと、
　前記ステージを挟んで前記第１のクランプ装置とは反対側の方向から、前記ステージの上方の前記待機ポジションまで、第１のシートを保持した前記第１の搬送ハンドラを移動させ、前記第１の搬送ハンドラの前記切り欠き部で露出した前記シートと前記第１の上方ポジションに位置する前記第１のクランプ装置とが対向する位置まで前記第１の搬送ハンドラを移動させることと、
　前記第１の搬送ハンドラを前記ステージに向けて下降させ、前記第２のクランプ装置で押圧されている前記シート積層体の上に前記第１のシートを積層することと、
　前記第１のクランプ装置を前記ステージに向けて下降させ、前記第１のシートの周辺部を前記ステージへ向けて押圧することと、を含むシート積層方法。」
　
２．取消理由の概要
　当審において、訂正前の請求項１、及び１０に係る特許に対して平成２９年１１月２１日付けで特許権者に通知した取消理由の要旨は、次のとおりである。
（１）特許法第３６条第６項第１、２号について
ア．訂正前の請求項１、及び１０の「前記ステージの上方の前記待機ポジションまで、第１のシートを保持した前記第１の搬送ハンドラを移動させ前記第１の搬送ハンドラの前記切り欠き部で露出した前記シートと前記第１のクランプ装置とが対向する位置まで前記第１の搬送ハンドラを移動させること」との記載は、発明の詳細な説明に開示された内容を拡張ないし一般化することができないから、訂正前の請求項１、及び１０に係る特許は、特許法第３６条第６項第１号に規定する要件を満たしていない特許出願に対してされたものである。 
イ．訂正前の請求項１、及び１０の「第１の搬送ハンドラであって、前記ステージの上方に位置する待機ポジション」との記載は、明確でないから、訂正前の請求項１、及び１０に係る特許は、特許法第３６条第６項第２号に規定する要件を満たしていない特許出願に対してされたものである。 
（２）特許法第３６条第４項第１号について
ア．訂正前の本件特許発明１、及び１０においては、第１の搬送ハンドラをステージに向けて下降させた際、第１のクランプ装置と第１のシートとが干渉して、第１のシートが破損しうるものが包含されているが、当業者が、明細書及び図面の記載並びに出願時の技術常識を考慮しても、上記のようなものを実施することはできないから、本件特許は、特許法第３６条第４項第１号に規定する要件を満たしていない特許出願に対してされたものである。
 イ．第１のクランプ装置８が、シート積層体１２を押圧した状態で、図５（Ｂ）のように右方向に移動させると、シート積層体１２の最上面のシートが損傷してしまい、発明の詳細な説明には、当業者が、本件特許発明１等の実施をすることができる程度に明確かつ十分に記載したものではないといえるから、本件特許は、特許法第３６条第４項第１号に規定する要件を満たしていない特許出願に対してされたものである。
　
３．判断
（１）取消理由通知に記載した取消理由について
ア．特許法第３６条第６項第１、２号について
（ア）上記「２．（１）ア．」について
　本件特許発明１、及び１０は、「・・・第１の押圧ポジションと、前記第１の押圧ポジションの上方であって前記待機ポジションに近接し、かつ、前記待機ポジションに位置する前記第１の搬送ハンドラが保持する前記シートの上面であって前記切り欠き部で露出された面と、前記押圧面とが対向する位置関係となる第１の上方ポジションとの間で、移動可能に構成された第１のクランプ装置」、及び「前記ステージの上方の前記待機ポジションまで、第１のシートを保持した前記第１の搬送ハンドラを移動させ前記第１の搬送ハンドラの前記切り欠き部で露出した前記シートと前記第１の上方ポジションに位置する前記第１のクランプ装置とが対向する位置まで前記第１の搬送ハンドラを移動させる」と特定され、つまり第１のクランプ装置が上方ポジションに位置するとき、第１の搬送ハンドラが保持するシートの上面であって切り欠き部で露出された面と、押圧面とが対向する位置関係となることが示されているから、第１の搬送ハンドラをステージに向けて下降させた際、第１のクランプ装置と第１のシートとが干渉して、第１のシートが破損することはない。
　してみると、本件特許発明１、及び１０は、発明の詳細な説明に記載した範囲を超えるものではない。
　なお、特許異議申立人平賀博は、「本件発明１においては、「切り欠き部」の形状や位置についても何ら特定していない」（特許異議申立書１２頁４〜５行）と主張しているが、本件特許発明１は、切り欠き部に関して、「少なくともシートの周辺の一部が前記切り欠き部で露出した状態で該シートを保持可能な第１の搬送ハンドラ」、「前記待機ポジションに位置する前記第１の搬送ハンドラが保持する前記シートの上面であって前記切り欠き部で露出された面と、前記押圧面とが対向する位置関係となる第１の上方ポジションとの間で、移動可能に構成された第１のクランプ装置」と特定されており、切り欠き部は、第１の搬送ハンドラを切り欠いた、すなわち、第１の搬送ハンドラの一部を切り取って、シートを保持とした場合、少なくともシートの周辺の一部が露出した状態となる形状であり、また切り欠き部は、第１の搬送ハンドラが待機ポジションであって、第１のクランプ装置が第１の上方ポジションであるとき、切り欠き部で露出されたシートの上面と第１のクランプ装置の押圧面とが対向する位置関係となる第１のクランプ装置の位置に形成されたものであることは明らかであるから、上記の主張は理由がない。
（イ）上記「２．（１）イ．」について
　本件特許発明１、及び１０は、「・・・第１の押圧ポジションと、前記第１の押圧ポジションの上方であって前記待機ポジションに近接し、かつ、前記待機ポジションに位置する前記第１の搬送ハンドラが保持する前記シートの上面であって前記切り欠き部で露出された面と、前記押圧面とが対向する位置関係となる第１の上方ポジションとの間で、移動可能に構成された第１のクランプ装置」と特定され、つまり第１の搬送ハンドラが、待機ポジションにあるとき、第１のクランプ装置は、前記待機ポジションに位置する前記第１の搬送ハンドラが保持するシートの上面であって切り欠き部で露出された面と、押圧面とが対向する位置関係となる第１の上方ポジションにあるから、待機ポジションの第１の搬送ハンドラと上方ポジションの第１のクランプ装置との位置関係は明確である。
　してみると、本件特許発明１、及び１０は、明確である。
イ．特許法第３６条第４項第１号について
　本件特許発明１、及び１０は、上記「ア．（イ）」のとおり、第１の搬送ハンドラが、待機ポジションにあるとき、第１のクランプ装置は、前記待機ポジションに位置する前記第１の搬送ハンドラが保持するシートの上面であって切り欠き部で露出された面と、押圧面とが対向する位置関係となる第１の上方ポジションにあるから、第１の搬送ハンドラをステージに向けて下降させた際、第１のクランプ装置と保持されている第１のシートとは干渉することはなく、本件特許明細書の発明の詳細な説明には、当業者がその実施をすることができる程度に明確かつ十分に記載されたものである。
　なお、図７に記載の実施例は、本件特許発明１、及び１０に包含されるものであるから、上記のとおり、切り欠き部２６と第１のクランプ装置８及び第２のクランプ装置９とが干渉したり、第１の（第２の）搬送ハンドラが下降したときに、保持されているシートがせん断されたり折曲げられることはない。
　また、一般にシート積層装置において、シート積層体を押圧し、シート間に挟まれたクランプ装置をシート積層体から引き抜く際、シートがめくれない程度にクランプ装置を上げて退避させることは、技術常識（例えば、乙１号証（特開２０１０-２１２０１８号公報）の段落【００３７】、【００３８】、及び図８（ｂ）、（ｃ）、乙２号証（特開２０１２-２２１７１５号公報）の段落【００５２】、【００５３】、及び図１９、並びに乙３号証（特開２００９−３２５４４号公報）の段落【００２２】、【００２３】、及び図１〜３参照。以下「技術常識」という。）である。
　してみると、当業者は、本件特許明細書及び図面の記載された発明の実施の説明と上記技術常識とに基づいて、本件特許発明１、及び１０を実施することができるから、本件特許明細書の発明の詳細な説明には、当業者がその実施をすることができる程度に明確かつ十分に記載されたものである。
（２）取消理由通知において採用しなかった特許異議申立理由について
ア．特許異議申立人平賀博は、図７に記載の実施例において、切り欠き部２６の幅と第１のクランプ装置８及び第２のクランプ装置９の各幅とが同一であるから、第１の（第２の）搬送ハンドラに切り欠き部２６と第１のクランプ装置８及び第２のクランプ装置９とが干渉する等の事態が起こり得るから、どのような切り欠き部やクランプ装置でよいというわけではなく、限られた位置、大きさ、形状の関係を有している筈であって、訂正前の請求項１、及び１０に係る発明は、サポート要件に違反している旨（特許異議申立書１４頁２２行〜１５頁５行）主張している。
　しかしながら、図７に記載の実施例において、切り欠き部２６の幅と第１のクランプ装置８及び第２のクランプ装置９の各幅とが同一とする理由は不明であるが、図７に記載の実施例は、本件特許発明１、及び１０に包含されるものであって、本件特許発明１、及び１０は、「・・・第１の押圧ポジションと、前記第１の押圧ポジションの上方であって前記待機ポジションに近接し、かつ、前記待機ポジションに位置する前記第１の搬送ハンドラが保持する前記シートの上面であって前記切り欠き部で露出された面と、前記押圧面とが対向する位置関係となる第１の上方ポジションとの間で、移動可能に構成された第１のクランプ装置」、「前記ステージの上方の前記待機ポジションまで、第１のシートを保持した前記第１の搬送ハンドラを移動させ前記第１の搬送ハンドラの前記切り欠き部で露出した前記シートと前記第１の上方ポジションに位置する前記第１のクランプ装置とが対向する位置まで前記第１の搬送ハンドラを移動させる」、「前記第１の搬送ハンドラを前記ステージに向けて下降させて前記第２のクランプ装置で押圧されている前記シート積層体の上に前記第１のシートを積層する」、及び「前記第１のクランプ装置を前記ステージに向けて下降させて前記第１のシートの周辺部を前記ステージへ向けて押圧する」と特定され、つまり第１のクランプ装置が上方ポジションに位置するとき、第１の搬送ハンドラが保持する第１のシートの上面であって切り欠き部で露出された面と、押圧面とが対向する位置関係となり、そして、前記第１の搬送ハンドラをステージに向けて下降させてシート積層体の上に前記第１のシートを積層し、前記第１のクランプ装置を前記ステージに向けて下降させて前記第１のシートの周辺部を前記ステージへ向けて押圧するのであるから、当然切り欠き部の幅は、第１のクランプ装置の幅よりも大きい幅を備えているといえる。
　また、第２のクランプ装置についても同様のことがいえる。
　したがって、上記の主張は理由がない。
イ．特許異議申立人平賀博は、訂正前の請求項１、及び１０に係る発明において、「第１の押圧ポジションの上方であって前記待機ポジションに近接した第１の上方ポジション」と規定されているが、この「近接した」なる文言が何を意味するのか、また、どこからどこまでが「近接」したことになるのか不明確である旨（特許異議申立書１５頁１２〜１６行）主張している。
　しかしながら、本件特許発明１、及び１０は、「・・・第１の押圧ポジションと、前記第１の押圧ポジションの上方であって前記待機ポジションに近接し、かつ、前記待機ポジションに位置する前記第１の搬送ハンドラが保持する前記シートの上面であって前記切り欠き部で露出された面と、前記押圧面とが対向する位置関係となる第１の上方ポジションとの間で、移動可能に構成された第１のクランプ装置」と特定され、つまり「近接」とは、第１の上方ポジションの第１のクランプ装置が、待機ポジションの第１の搬送ハンドラの近くにあることを意味することは明らかである。
　また、近接の具体的な範囲は、第１のクランプ装置や第１の搬送ハンドラ等の大きさの設定等により、適宜決定されるにすぎないものであるから、本件特許発明１、及び１０において、近接の具体的な範囲を特定していないからといって、その記載が明確性を欠くことにはならないから、本件特許発明１、及び１０は明確である。
　したがって、上記の主張は理由がない。
ウ．特許異議申立人平賀博は、訂正前の請求項１、及び１０に係る発明は、「前記ステージを挟んで前記第１のクランプ装置とは反対側の方向から、前記ステージの上方の前記待機ポジションまで、第１のシートを保持した前記第１の搬送ハンドラを移動させ前記第１の搬送ハンドラの前記切り欠き部で露出した前記シートと前記第１のクランプ装置とが対向する位置まで前記第１の搬送ハンドラを移動させる」といった具合に、「第１の搬送ハンドラ」を移動させるのに「〜まで」という文言を２回記載し、「待機ポジション」と、「前記シートと前記第１のクランプ装置とが対向する位置」とが同じ位置を意味するのか否かが定かでなく、しかも、両者の位置関係が不明である旨（特許異議申立書１５頁１７〜２７行）主張している。
　しかしながら、本件特許発明１、及び１０は、「・・・第１の押圧ポジションと、前記第１の押圧ポジションの上方であって前記待機ポジションに近接し、かつ、前記待機ポジションに位置する前記第１の搬送ハンドラが保持する前記シートの上面であって前記切り欠き部で露出された面と、前記押圧面とが対向する位置関係となる第１の上方ポジションとの間で、移動可能に構成された第１のクランプ装置」と特定され、つまり第１の搬送ハンドラが待機ポジションに位置するときに、第１のクランプ装置は、第１の押圧ポジションから、前記待機ポジションに接近し、前記待機ポジションに位置する前記第１の搬送ハンドラが保持する前記シートの上面であって前記切り欠き部で露出された面と、前記押圧面とが対向する位置関係となる第１の上方ポジションに移動することになるから、上記の発明特定事項を踏まえれば、「待機ポジション」と、「前記シートと前記第１のクランプ装置とが対向する位置」とが同じ位置を意味することは明らかであって、本件特許発明１、及び１０は明確である。
　したがって、上記の主張は理由がない。
エ．特許異議申立人平賀博は、訂正前の請求項１、及び１０に係る発明は、「・・・前記第１のクランプ装置を前記第１の上方ポジションへ移動させる」とあるが、発明の実施形態を参照すると、「・・・さらに、矢印の方向のように、第１のクランプ装置８を所定の高さまで上昇させ、図中左方向に移動させる（図５Ｃ参照）。」（段落【００３２】）と記載されているが、「第１の上方ポジション」が、「第１のクランプ装置８を所定の高さまで上昇させ」た位置を指すのか、それとも、図５Ｃに示されるように図中左方向に移動させた位置を指すのか、不明である旨（特許異議申立書１５頁２８行〜１６頁５行）主張している。
　しかしながら、本件特許発明１、及び１０は、「・・・第１の押圧ポジションと、前記第１の押圧ポジションの上方であって前記待機ポジションに近接し、かつ、前記待機ポジションに位置する前記第１の搬送ハンドラが保持する前記シートの上面であって前記切り欠き部で露出された面と、前記押圧面とが対向する位置関係となる第１の上方ポジションとの間で、移動可能に構成された第１のクランプ装置」と特定され、つまり第１のクランプ装置の上方ポジションとは、第１の搬送ハンドラが待機ポジションに位置するときに、第１のクランプ装置の第１の押圧ポジションの上方であって、前記待機ポジションに接近し、前記待機ポジションに位置する前記第１の搬送ハンドラが保持する前記シートの上面であって前記切り欠き部で露出された面と、前記押圧面とが対向する位置関係となる位置であるから、「第１の上方ポジション」が、図５Ｃに示されるように図中左方向に移動させた位置であることは明らかであって、本件特許発明１、及び１０は明確である。
　したがって、上記の主張は理由がない。
　
（３）むすび
　以上のとおりであるから、取消理由通知に記載した取消理由及び特許異議申立書に記載した特許異議申立理由によっては、本件請求項１〜１０に係る特許を取り消すことはできない。
　また、他に本件請求項１〜１０に係る特許を取り消すべき理由を発見しない。
　
　よって、結論のとおり決定する。
【異議決定日】
平成３０年４月２５日（２０１８．４．２５）
【訂正の要旨】
審決（決定）の【理由】欄参照。
（５７）【特許請求の範囲】
　【請求項１】
　複数のシートが積層されて成るシート積層体を載置するステージと、
　周辺部に切り欠き部が設けられた第１の搬送ハンドラであって、前記ステージの上方に位置する待機ポジションと前記待機ポジションから退避した退避ポジションとの間を移動可能であり、前記ステージに対して上下移動可能に構成され、少なくともシートの周辺の一部が前記切り欠き部で露出した状態で該シートを保持可能な第１の搬送ハンドラと、
　
押圧面を備え、
前記押圧面により
、かつ、前記待機ポジションに位置する前記第１の搬送ハンドラが保持する前記シートの上面であって前記切り欠き部で露出された面と、前記押圧面とが対向する位置関係となる
　前記ステージ上の前記シート積層体の前記第１の辺とは異なる第２の辺の一部を前記ステージに向けて押圧する第２の押圧ポジションと、前記第２の押圧ポジションの上方であって前記待機ポジションに近接した第２の上方ポジションとの間で、移動可能に構成された第２のクランプ装置と、
　前記第２のクランプ装置で前記ステージ上のシート積層体の前記第２の辺の一部を押圧した状態で前記第１のクランプ装置を前記第１の上方ポジションへ移動させることと、
　前記ステージを挟んで前記第１のクランプ装置とは反対側の方向から、前記ステージの上方の前記待機ポジションまで、第１のシートを保持した前記第１の搬送ハンドラを移動させ
、
前記第１の上方ポジションに位置する
　前記第１の搬送ハンドラを前記ステージに向けて下降させて前記第２のクランプ装置で押圧されている前記シート積層体の上に前記第１のシートを積層することと、
　前記第１のクランプ装置を前記ステージに向けて下降させて前記第１のシートの周辺部を前記ステージへ向けて押圧することと、を前記第１のクランプ装置、前記第２のクランプ装置および前記第１の搬送ハンドラに実行させる制御部と、
を備えているシート積層装置。
　【請求項２】
　前記制御部は、前記第１の搬送ハンドラを前記待機ポジションまで移動させ終える前に、前記第１のクランプ装置を前記第１の上方ポジションへ移動させ終えるように、前記第１の搬送ハンドラおよび前記第１のクランプ装置を制御する、請求項１に記載のシート積層装置。
　【請求項３】
　前記制御部は、前記第１の搬送ハンドラの下降と前記第１のクランプ装置の下降とを同時に行わせる、請求項１または２に記載のシート積層装置。
　【請求項４】
　前記制御部は、前記第１の搬送ハンドラを下降させた後に、前記第１のクランプ装置を下降させる、請求項１または２に記載のシート積層装置。
　【請求項５】
　前記第１の搬送ハンドラが前記退避ポジションから前記待機ポジションへ移動する方向を移動方向と定義したときに、前記第１の搬送ハンドラの前記移動方向の前方側に位置する少なくとも一つの角に前記切り欠き部が設けられている、請求項１から４のいずれか１項に記載のシート積層装置。
　【請求項６】
　前記第１の搬送ハンドラが前記退避ポジションから前記待機ポジションへ移動する方向を移動方向と定義したときに、前記第１の搬送ハンドラの前記移動方向の前方側に位置する一対の角にそれぞれ前記切り欠き部が設けられている、請求項１から４のいずれか１項に記載のシート積層装置。
　【請求項７】
　前記シート積層体の表面に垂直な方向から見て、前記第１の搬送ハンドラの前記移動方向の前方側に位置する切り欠き部は、前記第１のクランプ装置の一辺と向き合っている、請求項５または６に記載のシート積層装置。
　【請求項８】
　前記第１の搬送ハンドラが前記退避ポジションから前記待機ポジションへ移動する方向を移動方向と定義したときに、前記第１の搬送ハンドラの前記移動方向の前方側に位置する一つの辺に前記切り欠き部が設けられている、請求項１から４のいずれか１項に記載のシート積層装置。
　【請求項９】
　前記第１の搬送ハンドラが前記退避ポジションから前記待機ポジションへ移動する方向を移動方向と定義したときに、前記第１の搬送ハンドラの前記移動方向の前方側に位置する一つの辺に複数の前記切り欠き部が設けられている、請求項１から４のいずれか１項に記載のシート積層装置。
　【請求項１０】
　複数のシートが積層されて成るシート積層体を載置するステージと、
　周辺部に切り欠き部が設けられた第１の搬送ハンドラであって、前記ステージの上方に位置する待機ポジションと前記待機ポジションから退避した退避ポジションとの間を移動可能であり、前記ステージに対して上下移動可能に構成され、少なくともシートの周辺の一部が前記切り欠き部で露出した状態で該シートを保持可能な第１の搬送ハンドラと、
　
押圧面を備え、
前記押圧面により
、かつ、前記待機ポジションに位置する前記第１の搬送ハンドラが保持する前記シートの上面であって前記切り欠き部で露出された面と、前記押圧面とが対向する位置関係となる
　前記ステージ上の前記シート積層体の前記第１の辺とは異なる第２の辺の一部を前記ステージに向けて押圧する第２の押圧ポジションと、前記第２の押圧ポジションの上方であって前記待機ポジションに近接した第２の上方ポジションとの間で、移動可能に構成された第２のクランプ装置と、を備えたシート搬送装置を用いたシート積層方法であって、
　前記第２のクランプ装置で前記ステージ上のシート積層体の前記第２の辺の一部を押圧した状態で前記第１のクランプ装置を前記第１の上方ポジションへ移動させることと、
　前記ステージを挟んで前記第１のクランプ装置とは反対側の方向から、前記ステージの上方の前記待機ポジションまで、第１のシートを保持した前記第１の搬送ハンドラを移動させ
、
前記第１の上方ポジションに位置する
　前記第１の搬送ハンドラを前記ステージに向けて下降させ、前記第２のクランプ装置で押圧されている前記シート積層体の上に前記第１のシートを積層することと、
　前記第１のクランプ装置を前記ステージに向けて下降させ、前記第１のシートの周辺部を前記ステージへ向けて押圧することと、
を含むシート積層方法。